(57)【要約】【課題】ロボットまたは音声対応電子回路モジュールの動作を設定するプログラムを簡単な記載にしてロボットまたは音声対応電子回路モジュールを容易に操作して所望の言葉や文章を話させるロボットまたは音声対応電子回路モジュール制御システムを提供する。【解決手段】サーバ１５０が、ロボット１４０Ａ、１４０Ｂ、１４０Ｃまたは音声対応電子回路モジュール１６０に対してブラウザ側プログラムの動作指令を送り、ロボットまたは音声対応電子回路モジュールが、サーバからのブラウザ側プログラムの動作指令を、プログラム変換手段によって専用プログラムの動作指令に変換してから実行する構成であり、ロボットまたは音声対応電子回路モジュールが、テキストデータ判読機能と、音声を発するスピーカとを有し、サーバに予め入力されたテキストデータにアクセスして、テキストデータを音声にして発する。【選択図】図１
2018102606.tif 000002
【特許請求の範囲】
【請求項１】
表示パネルに表示されるブラウザと、前記ブラウザの表示指令を含むとともにロボットまたは音声対応電子回路モジュールの動作指令を含むブラウザ側プログラムと、通信手段を有して専用プログラムの動作指令によって動作するロボットまたは音声対応電子回路モジュールと、前記ブラウザ側プログラムのロボットまたは音声対応電子回路モジュールの動作指令をロボットまたは音声対応電子回路モジュールへ送信するサーバとを備えたロボットまたは音声対応電子回路モジュール制御システムであって、
前記サーバが、前記ロボットまたは音声対応電子回路モジュールに対してブラウザ側プログラムの動作指令を送り、
前記ロボットまたは音声対応電子回路モジュールが、前記ブラウザ側プログラムの動作指令を専用プログラムの動作指令に変換するプログラム変換手段を有し、前記サーバからのブラウザ側プログラムの動作指令を、プログラム変換手段によって専用プログラムの動作指令に変換してから実行する構成であり、
前記ロボットまたは音声対応電子回路モジュールが、テキストデータ判読機能と、音声を発するスピーカとを有し、前記サーバに予め入力されたテキストデータにアクセスして、テキストデータを音声にして発することを特徴とするロボットまたは音声対応電子回路モジュール制御システム。
【請求項２】
前記ロボットまたは音声対応電子回路モジュールが、前記サーバに予め入力された前記テキストデータとしての会社内啓蒙活動用テキストデータにアクセスして、所定時間毎に会社内啓蒙活動用テキストデータを音声にして発することを特徴とする請求項１に記載のロボットまたは音声対応電子回路モジュール制御システム。
【請求項３】
前記ロボットまたは音声対応電子回路モジュールが、前記サーバにおける予め登録された所定の会社の前記テキストデータとしての人事情報テキストデータにアクセスして、新着の人事情報テキストデータを音声にして発することを特徴とする請求項１に記載のロボットまたは音声対応電子回路モジュール制御システム。
【請求項４】
前記ロボットまたは音声対応電子回路モジュールが、前記サーバに予め入力された前記テキストデータとしての社員食堂のメニュー情報テキストデータにアクセスして、本日のメニュー情報テキストデータを音声にして発することを特徴とする請求項１に記載のロボットまたは音声対応電子回路モジュール制御システム。
【請求項５】
前記ロボットまたは音声対応電子回路モジュールが、前記サーバに予め入力された前記テキストデータとしての会社創業話情報テキストデータにアクセスして、所定時間になったときに会社創業話情報テキストデータを音声にして発することを特徴とする請求項１に記載のロボットまたは音声対応電子回路モジュール制御システム。
【請求項６】
前記ロボットまたは音声対応電子回路モジュールが、前記サーバに予め入力された社員の前記テキストデータとしての自己紹介テキストデータにアクセスして、所定時間になったときに自己紹介テキストデータを音声にして発することを特徴とする請求項１に記載のロボットまたは音声対応電子回路モジュール制御システム。
【発明の詳細な説明】
【技術分野】
【０００１】
本発明は、表示パネルに表示されるブラウザと、前記ブラウザの表示指令を含むとともにロボットまたは音声対応電子回路モジュールの動作指令を含むブラウザ側プログラムと、通信手段を有して専用プログラムの動作指令によって動作するロボットまたは音声対応電子回路モジュールと、前記ブラウザ側プログラムのロボットまたは音声対応電子回路モジュールの動作指令をロボットまたは音声対応電子回路モジュールへ送信するサーバとを備えたロボットまたは音声対応電子回路モジュール制御システムに関する。
【背景技術】
【０００２】
従来、ロボットについて、人から見て自然に、違和感を与えないように、ロボットの動作を切り替えることや、動作を再開することを可能とする動作制御方法やロボットが知られている（例えば、特許文献１）。
【先行技術文献】
【特許文献】
【０００３】
【特許文献１】特開２０１１−２３３０７１号公報（特に、段落００５３、図３参照）
【発明の概要】
【発明が解決しようとする課題】
【０００４】
しかしながら、上述した従来の動作制御方法やロボットのプログラミングは、Ｃ＋＋、Ｊａｖａ（登録商標）などの高級言語によって行われることが一般的であるため、ロボットの動作を設定して制御することは、非常に困難であるという問題があった。
特に、ロボットまたは音声対応電子回路モジュールに所望の言葉や文章を話させることが非常に困難であるという問題があった。
【０００５】
そこで、本発明は、前述したような従来技術の問題を解決するものであって、すなわち、本発明の目的は、ロボットまたは音声対応電子回路モジュールの動作を設定するプログラムを簡単な記載にしてロボットまたは音声対応電子回路モジュールを容易に操作して所望の言葉や文章を話させるロボットまたは音声対応電子回路モジュール制御システムを提供することである。
【課題を解決するための手段】
【０００６】
本請求項１に係る発明は、表示パネルに表示されるブラウザと、前記ブラウザの表示指令を含むとともにロボットまたは音声対応電子回路モジュールの動作指令を含むブラウザ側プログラムと、通信手段を有して専用プログラムの動作指令によって動作するロボットまたは音声対応電子回路モジュールと、前記ブラウザ側プログラムのロボットまたは音声対応電子回路モジュールの動作指令をロボットまたは音声対応電子回路モジュールへ送信するサーバとを備えたロボットまたは音声対応電子回路モジュール制御システムであって、前記サーバが、前記ロボットまたは音声対応電子回路モジュールに対してブラウザ側プログラムの動作指令を送り、前記ロボットまたは音声対応電子回路モジュールが、前記ブラウザ側プログラムの動作指令を専用プログラムの動作指令に変換するプログラム変換手段を有し、前記サーバからのブラウザ側プログラムの動作指令を、プログラム変換手段によって専用プログラムの動作指令に変換してから実行する構成であり、前記ロボットまたは音声対応電子回路モジュールが、テキストデータ判読機能と、音声を発するスピーカとを有し、前記サーバに予め入力されたテキストデータにアクセスして、テキストデータを音声にして発することにより、前述した課題を解決するものである。
【０００７】
本請求項２に係る発明は、請求項１に記載されたロボットまたは音声対応電子回路モジュール制御システムの構成に加えて、前記ロボットまたは音声対応電子回路モジュールが、前記サーバに予め入力された前記テキストデータとしての会社内啓蒙活動用テキストデータにアクセスして、所定時間毎に会社内啓蒙活動用テキストデータを音声にして発することにより、前述した課題を解決するものである。
【０００８】
本請求項３に係る発明は、請求項１に記載されたロボットまたは音声対応電子回路モジュール制御システムの構成に加えて、前記ロボットまたは音声対応電子回路モジュールが、前記サーバにおける予め登録された所定の会社の前記テキストデータとしての人事情報テキストデータにアクセスして、新着の人事情報テキストデータを音声にして発することにより、前述した課題を解決するものである。
【０００９】
本請求項４に係る発明は、請求項１に記載されたロボットまたは音声対応電子回路モジュール制御システムの構成に加えて、前記ロボットまたは音声対応電子回路モジュールが、前記サーバに予め入力された前記テキストデータとしての社員食堂のメニュー情報テキストデータにアクセスして、本日のメニュー情報テキストデータを音声にして発することにより、前述した課題を解決するものである。
【００１０】
本請求項５に係る発明は、請求項１に記載されたロボットまたは音声対応電子回路モジュール制御システムの構成に加えて、前記ロボットまたは音声対応電子回路モジュールが、前記サーバに予め入力された前記テキストデータとしての会社創業話情報テキストデータにアクセスして、所定時間になったときに会社創業話情報テキストデータを音声にして発することにより、前述した課題を解決するものである。
【００１１】
本請求項６に係る発明は、請求項１に記載されたロボットまたは音声対応電子回路モジュール制御システムの構成に加えて、前記ロボットまたは音声対応電子回路モジュールが、前記サーバに予め入力された社員の前記テキストデータとしての自己紹介テキストデータにアクセスして、所定時間になったときに自己紹介テキストデータを音声にして発することにより、前述した課題を解決するものである。
【発明の効果】
【００１２】
本発明のロボットまたは音声対応電子回路モジュール制御システムは、表示パネルに表示されるブラウザと、ブラウザの表示指令を含むとともにロボットまたは音声対応電子回路モジュールの動作指令を含むブラウザ側プログラムと、通信手段を有して専用プログラムの動作指令によって動作するロボットまたは音声対応電子回路モジュールと、ブラウザ側プログラムのロボットまたは音声対応電子回路モジュールの動作指令をロボットまたは音声対応電子回路モジュールへ送信するサーバとを備えているにより、ロボットまたは音声対応電子回路モジュールを動作させることができるばかりでなく、以下のような特有の効果を奏することができる。
【００１３】
本請求項１に係る発明のロボットまたは音声対応電子回路モジュール制御システムによれば、ブラウザ側プログラムの動作指令がロボットまたは音声対応電子回路モジュール内で専用プログラムの動作指令に変換されるため、ブラウザ側プログラムを簡単な記載にしてロボットまたは音声対応電子回路モジュールを容易に操作することができる。
また、音声化したい内容をテキストデータにするだけで、ロボットまたは音声対応電子回路モジュールがその内容を間違いなく読み上げるため、ロボットまたは音声対応電子回路モジュールに所望の言葉や文章を容易に話させて人の労力を軽減することができる。
さらに、サーバが同一のブラウザ側プログラムの動作指令を複数のロボットまたは音声対応電子回路モジュールへ送るため、同一のブラウザ側プログラムで複数のロボットまたは音声対応電子回路モジュールをそれぞれ動作させることができる。
【００１４】
本請求項２に係る発明のロボットまたは音声対応電子回路モジュール制御システムによれば、請求項１に係る発明が奏する効果に加えて、社内に浸透させたい内容を会社内啓蒙活動用テキストデータにするだけで、ロボットまたは音声対応電子回路モジュールが所定時間毎に毎回同じ内容を間違いなく繰り返して読み上げて、それを社員が耳で繰り返し聴いて覚えるため、社長や部長の労力を軽減することができる。
さらに、社長や部長が感情的にならなくて済むため、社内の雰囲気を快適に保つことができる。
また、啓蒙活動内容を電子メールで各社員へ送る場合と比べて、社員が耳で繰り返し聴いて覚えるため、社長や部長の意志を社員にきちんと伝達することができる。
【００１５】
本請求項３に係る発明のロボットまたは音声対応電子回路モジュール制御システムによれば、請求項１に係る発明が奏する効果に加えて、取引関係にある会社や注目する会社を登録するだけで、その会社の人事異動があったときにその人事異動の内容をその場で情報共有されるため、会社組織として情報漏れなくその会社と接することができる。
【００１６】
本請求項４に係る発明のロボットまたは音声対応電子回路モジュール制御システムによれば、請求項１に係る発明が奏する効果に加えて、社員食堂の順番待ちの列に並んでいるときに、社員食堂の利用者が本日のメニューを耳で聴けるため、注文時までに何を注文するかを事前に決めることができ、スムーズな注文を実現することができる。
さらに、順番待ちの列に並んでいるときに本日のメニューを利用者が耳で聴けるため、順番待ちの列が乱れることを回避できる。
【００１７】
本請求項５に係る発明のロボットまたは音声対応電子回路モジュール制御システムによれば、請求項１に係る発明が奏する効果に加えて、社内に浸透させたい内容を会社創業話情報テキストデータにするだけで、ロボットまたは音声対応電子回路モジュールが所定時間毎に毎回同じ内容を間違いなく繰り返して読み上げて、それを社員が耳で繰り返し聴いて覚えるため、社長や部長の労力を軽減することができる。
さらに、社長や部長が感情的にならなくて済むため、社内の雰囲気を快適に保つことができる。
また、社員が耳で繰り返し聴いて覚えるため、営業職などの社員が客先にきちんと自社のことを話すことができる。
【００１８】
本請求項６に係る発明のロボットまたは音声対応電子回路モジュール制御システムによれば、請求項１に係る発明が奏する効果に加えて、社内に伝えたい自身の内容を自己紹介テキストデータにするだけで、ロボットまたは音声対応電子回路モジュールが所定時間に読み上げるため、自動で自己紹介形式の社員紹介をすることができる。
さらに、大勢の社員の前であっても読み手であるロボットまたは音声対応電子回路モジュールが緊張しないため、スムーズに自己紹介形式の社員紹介を進めることができる。
また、言いにくい内容であってもロボットまたは音声対応電子回路モジュールがその場の空気に飲み込まれないため、きちんと伝えることができる。
【図面の簡単な説明】
【００１９】
【図１】本発明の第１実施例のロボットまたは音声対応電子回路モジュール制御システムの概念図。
【図２】本発明の第１実施例のロボットまたは音声対応電子回路モジュール制御システムのブラウザ側プログラムの一例を示す図。
【図３】本発明の第１実施例のロボットまたは音声対応電子回路モジュール制御システムの啓蒙活動機能のチャート図。
【図４】本発明の第２実施例のロボットまたは音声対応電子回路モジュール制御システムの人事異動お知らせ機能のチャート図。
【図５】本発明の第３実施例のロボットまたは音声対応電子回路モジュール制御システムの社員食堂メニューお知らせ機能のチャート図。
【図６】本発明の第４実施例のロボットまたは音声対応電子回路モジュール制御システムの自社案内お知らせ機能のチャート図。
【図７】本発明の第５実施例のロボットまたは音声対応電子回路モジュール制御システムの社員自己紹介機能のチャート図。
【発明を実施するための形態】
【００２０】
本発明のロボットまたは音声対応電子回路モジュール制御システムは、表示パネルに表示されるブラウザと、ブラウザの表示指令を含むとともにロボットまたは音声対応電子回路モジュールの動作指令を含むブラウザ側プログラムと、通信手段を有して専用プログラムの動作指令によって動作するロボットまたは音声対応電子回路モジュールと、ブラウザ側プログラムのロボットまたは音声対応電子回路モジュールの動作指令をロボットまたは音声対応電子回路モジュールへ送信するサーバとを備え、サーバが、ロボットまたは音声対応電子回路モジュールに対してブラウザ側プログラムの動作指令を送り、ロボットまたは音声対応電子回路モジュールが、ブラウザ側プログラムの動作指令を専用プログラムの動作指令に変換するプログラム変換手段を有し、サーバからのブラウザ側プログラムの動作指令を、プログラム変換手段によって専用プログラムの動作指令に変換してから実行する構成であり、ロボットまたは音声対応電子回路モジュールが、テキストデータ判読機能と、音声を発するスピーカとを有し、サーバに予め入力されたテキストデータにアクセスして、テキストデータを音声にして発することにより、ブラウザ側プログラムを簡単な記載にしてロボットまたは音声対応電子回路モジュールを容易に操作し、ロボットまたは音声対応電子回路モジュールに所望の言葉や文章を容易に話させて人の労力を軽減するものであれば、その具体的な実施態様は、如何なるものであっても構わない。
【００２１】
例えば、ブラウザ側プログラムは、ハイパーテキスト・マークアップ・ランゲージ形式など比較的短くて簡単な記載で動作指令を表すことができるものであれば如何なるものであっても構わない。
また、プログラム変換手段は、ロボットまたは音声対応電子回路モジュールにインストールできるソフトウエアであり、ブラウザ側プログラムの動作指令を専用プログラムの動作指令に変換するものであれば如何なるものであっても構わない。
表示パネルは、ブラウザや画像を表示するものであれば、タッチ式のパネルでも単に表示する非タッチ式のパネルでもよい。
音声対応電子回路モジュールは、シングルボードコンピュータであり、少なくとも、回路基板と、制御部と、記憶部と、スピーカ部またはマイク部と、コネクタと、無線通信部とを有しているものであればよい。
このうち、スピーカ部、マイク部および無線通信部は、コネクタを介して接続された取付タイプでもよいし、回路基板に設けられた所謂、内蔵タイプでもよい。
【実施例１】
【００２２】
以下に、本発明の第１実施例であるロボットまたは音声対応電子回路モジュール制御システム１００について、図１乃至図３に基づいて説明する。
ここで、図１は、本発明の第１実施例のロボットまたは音声対応電子回路モジュール制御システム１００の概念図であり、図２は、本発明の第１実施例のロボットまたは音声対応電子回路モジュール制御システム１００のブラウザ側プログラム１３０の一例を示す図であり、図３は、本発明の第１実施例のロボットまたは音声対応電子回路モジュール制御システム１００の啓蒙活動機能のチャート図である。
【００２３】
本発明の第１実施例であるロボットまたは音声対応電子回路モジュール制御システム１００は、図１および図２に示すように、表示パネルの一例であるタッチパネル１１０に表示されるブラウザ１２０と、ブラウザ側プログラム１３０と、音声対応のロボット１４０Ａ〜１４０Ｃと、サーバ１５０と、音声対応電子回路モジュール１６０とを備えている。
このうち、ブラウザ側プログラム１３０は、一例として、ハイパーテキスト・マークアップ・ランゲージ形式（以下、ＨＴＬＭ形式という）であり、ブラウザ１２０の表示指令を含むとともにロボット１４０Ａ〜１４０Ｃおよび音声対応電子回路モジュール１６０の動作指令を含んでいる（図２参照）。
【００２４】
また、ロボット１４０Ａ〜１４０Ｃは、基本的には、図示しない無線式の通信手段を有し、ロボット専用プログラムとして、例えば、Ｊａｖａ（登録商標）やＣ＋＋のプログラムによる動作指令によって動作するように構成されている。
サーバ１５０は、図示しない無線式の通信手段を有して、ブラウザ側プログラム１３０のロボット１４０Ａ〜１４０Ｃおよび音声対応電子回路モジュール１６０の動作指令をロボット１４０Ａ〜１４０Ｃおよび音声対応電子回路モジュール１６０へ送信するように設けられている。
なお、無線式の通信手段をサーバ１５０と一体に構成してもよいし、別体に構成してもよい。
【００２５】
音声対応電子回路モジュール１６０は、所謂、ラズベリーパイと呼ばれているシングルボードコンピュータであり、詳しい図示を省略するが、回路基板と、制御部である集積回路部と、記憶部と、スピーカ部と、マイク部と、コネクタと、無線通信部とを有している。
このうち、スピーカ部、マイク部および無線通信部は、コネクタと接続されている取付タイプでもよいし、回路基板に直接載置されて接続された内蔵タイプでもよい。
また、音声対応電子回路モジュール１６０は、モジュール専用プログラムとして、ロボット１４０Ａ〜１４０Ｃと同様、例えば、Ｊａｖａ（登録商標）やＣ＋＋のプログラムによる動作指令によって動作するように構成されている。
さらに、音声対応電子回路モジュール１６０は、コネクタを介して撮影手段であるカメラや各種センサーやスイッチと接続自在に設けられている。
【００２６】
さらに、本実施例では、ロボット１４０Ａ〜１４０Ｃおよび音声対応電子回路モジュール１６０が、ブラウザ側プログラム１３０のＨＴＬＭ形式の動作指令を専用プログラムのＪａｖａ（登録商標）やＣ＋＋形式の動作指令に変換するプログラム変換手段としてのソフトウエアを有している。
【００２７】
また、サーバ１５０が、ロボット１４０Ａ〜１４０Ｃおよび音声対応電子回路モジュール１６０に対してブラウザ側プログラム１３０の動作指令を送るように構成されている。
そして、ロボット１４０Ａ〜１４０Ｃおよび音声対応電子回路モジュール１６０が、サーバ１５０からのブラウザ側プログラム１３０のＨＴＬＭ形式の動作指令を、プログラム変換手段によって専用プログラムのＪａｖａ（登録商標）やＣ＋＋形式の動作指令に変換してから実行するように構成されている。
これにより、ブラウザ側プログラム１３０のＨＴＬＭ形式の動作指令が、ロボット内および音声対応電子回路モジュール内で専用プログラムのＪａｖａ（登録商標）やＣ＋＋形式の動作指令に変換される。
【００２８】
その結果、ブラウザ側プログラム１３０を、例えば、ＨＴＬＭ形式の簡単な記載にしてロボット１４０Ａ〜１４０Ｃおよび音声対応電子回路モジュール１６０を容易に操作することができる。
さらに、サーバ１５０が同一のブラウザ側プログラム１３０のＨＴＬＭ形式の動作指令を複数のロボット１４０Ａ〜１４０Ｃおよび音声対応電子回路モジュール１６０へ送ると、同一のブラウザ側プログラム１３０で複数のロボット１４０Ａ〜１４０Ｃおよび音声対応電子回路モジュール１６０をそれぞれ動作させることができる。
ロボット１４０Ａ〜１４０Ｃまたは音声対応電子回路モジュール１６０が、サーバ１５０からのブラウザ側プログラム１３０の動作指令を、プログラム変換手段によって専用プログラムの動作指令に変換してから実行する。
【００２９】
また、本実施例では、ロボット１４０Ａ〜１４０Ｃまたは音声対応電子回路モジュール１６０が、テキストデータ判読機能と、音声を発するスピーカとを有し、サーバ１５０に予め入力されたテキストデータにアクセスして、テキストデータを音声にして発するように構成されている。
【００３０】
これにより、音声化したい内容をテキストデータにするだけで、ロボット１４０Ａ〜１４０Ｃまたは音声対応電子回路モジュール１６０がその内容を間違いなく読み上げる。
つまり、ロボット１４０Ａ〜１４０Ｃまたは音声対応電子回路モジュール１６０が、その場の雰囲気に飲まれることなく、緊張しないので、正確に読み上げ、さらに必要に応じて何度も繰り返す。
その結果、人の労力を軽減することができる。
【００３１】
本実施例では、図３を用いて、社内啓蒙活動機能を果たすロボット１４０Ａについてより詳細に説明する。
本実施例では、前提として、ロボット１４０Ａが、テキストデータ判読機能と、音声を発するスピーカ（図示せず）とを有している。
そして、例えば、ロボット１４０Ａとタッチパネル１１０とが、会社のオフィスに設置されたとする。
ステップＳ１では、ブラウザ側プログラム１３０が、啓蒙活動の内容をタッチパネル１１０のブラウザ１２０に表示させる。
また、ロボット１４０Ａが、通信手段を用いて、サーバ１５０にアクセスして予め入力された会社内啓蒙活動用テキストデータを読みに行く。ステップＳ２へ進む。
【００３２】
ステップＳ２では、ブラウザ側プログラム１３０またはロボット１４０Ａが、会社内啓蒙活動用テキストデータの有無を判定する。会社内啓蒙活動用テキストデータが有ると判定した場合、ステップＳ３へ進む。他方、会社内啓蒙活動用テキストデータが無いと判定した場合、ステップＳ１へ戻って繰り返す。
【００３３】
ステップＳ３では、ロボット１４０Ａが、会社内啓蒙活動用テキストデータを、テキストデータ判読機能を用いて読み込み、ステップＳ４へ進む。
ステップＳ４では、前回の啓蒙活動内容を音声化したときから所定時間経過したか否かを判定する。例えば、前回の音声化したときから２時間経過したか否かを判定する。経過したと判定した場合、ステップＳ５へ進む。他方、まだ経過していないと判定した場合、ステップＳ４を繰り返す。
なお、初回の場合は、経過時間を判定せずにそのままステップＳ５へ進む。
【００３４】
ステップＳ５では、ロボット１４０Ａが、読み込んだテキストデータを、スピーカを用いて音声として発することによって、会社内のオフィスにいる社員に対して、啓蒙活動内容を伝える。例えば、就業中に「仕事中のみなさん、お知らせです！  個人情報の紙を机の上におかないこと！  交通費の精算は本日までです！」と伝えたり、「プリンタのコストについて、カラーは３０円、白黒は３円なのは知ってますか？」などと伝える。
また、終業時刻になった場合、「電気を消して帰りましょう。パソコンの電源を消しましょう！」と伝える。
【００３５】
これにより、社内に浸透させたい内容を会社内啓蒙活動用テキストデータにするだけで、ロボット１４０Ａが所定時間毎に毎回同じ内容を間違いなく繰り返して読み上げて、それを社員が耳で繰り返し聴いて覚える。
その結果、社長や部長の労力を軽減することができる。
さらに、社長や部長が感情的にならなくて済む。
その結果、社内の雰囲気を快適に保つことができる。
また、啓蒙活動内容を電子メールで各社員へ送る場合と比べて、社員が耳で繰り返し聴いて覚える。
その結果、社長や部長の意志を社員にきちんと伝達することができる。
ステップＳ６へ進む。
【００３６】
ステップＳ６では、ロボット１４０Ａが、読み込んだテキストデータを全て話して社員へ伝えたか否かを判定する。伝え終えたと判定した場合、ステップＳ７へ進む。他方、伝え終えていないと判定した場合、ステップＳ５へ戻って、啓蒙活動内容を伝え続ける。
ステップＳ７では、ブラウザ側プログラム１３０またはロボット１４０Ａが、サーバ１５０のデータに基づいて、次の会社内啓蒙活動用テキストデータがあるか否かを判定する。次の会社内啓蒙活動用テキストデータがあると判定した場合、ステップＳ３へ戻って、次の会社内啓蒙活動用テキストデータを読み込み、啓蒙活動の伝える内容を変えて同じアクションを繰り返す。他方、次の会社内啓蒙活動用テキストデータがないと判定した場合、ロボット１４０Ａは、啓蒙活動機能を終了する。
【００３７】
なお、ロボット１４０Ａが、サーバ１５０へアクセスして会社内啓蒙活動用テキストデータを読み込んだが、ブラウザ側プログラム１３０に直接記載された内容を、スピーカを用いて音声化してもよい。
また、ロボット１４０Ａを用いて説明したが、ロボット１４０Ａに換えて音声対応電子回路モジュール１６０を用いてもよい。
【００３８】
このようにして得られた本発明の第１実施例であるロボットまたは音声対応電子回路モジュール制御システム１００は、表示パネルに表示されるブラウザ１２０と、ブラウザ１２０の表示指令を含むとともにロボット１４０Ａ〜１４０Ｃまたは音声対応電子回路モジュール１６０の動作指令を含むブラウザ側プログラム１３０と、通信手段を有して専用プログラムの動作指令によって動作するロボット１４０Ａ〜１４０Ｃまたは音声対応電子回路モジュール１６０と、ブラウザ側プログラム１３０のロボット１４０Ａ〜１４０Ｃまたは音声対応電子回路モジュール１６０の動作指令をロボット１４０Ａ〜１４０Ｃまたは音声対応電子回路モジュール１６０へ送信するサーバ１５０とを備え、サーバ１５０が、ロボット１４０Ａ〜１４０Ｃまたは音声対応電子回路モジュール１６０に対してブラウザ側プログラム１３０の動作指令を送り、ロボット１４０Ａ〜１４０Ｃまたは音声対応電子回路モジュール１６０が、ブラウザ側プログラム１３０の動作指令を専用プログラムの動作指令に変換するプログラム変換手段を有し、サーバ１５０からのブラウザ側プログラム１３０の動作指令を、プログラム変換手段によって専用プログラムの動作指令に変換してから実行する構成であり、ロボット１４０Ａ〜１４０Ｃまたは音声対応電子回路モジュール１６０が、テキストデータ判読機能と、音声を発するスピーカとを有し、サーバ１５０に予め入力されたテキストデータにアクセスして、テキストデータを音声にして発することにより、ブラウザ側プログラム１３０を簡単な記載にしてロボット１４０Ａ〜１４０Ｃまたは音声対応電子回路モジュール１６０を容易に操作することができ、同一のブラウザ側プログラム１３０で複数のロボット１４０Ａ〜１４０Ｃまたは音声対応電子回路モジュール１６０をそれぞれ動作させることができ、ロボット１４０Ａ〜１４０Ｃまたは音声対応電子回路モジュール１６０に所望の言葉や文章を容易に話させて人の労力を軽減することができる。
【００３９】
さらに、ロボット１４０Ａ〜１４０Ｃまたは音声対応電子回路モジュール１６０が、サーバ１５０に予め入力されたテキストデータとしての会社内啓蒙活動用テキストデータにアクセスして、所定時間毎に会社内啓蒙活動用テキストデータを音声にして発することにより、社長や部長の労力を軽減することができ、社内の雰囲気を快適に保つことができ、啓蒙活動内容を電子メールで各社員へ送る場合と比べて、社長や部長の意志を社員にきちんと伝達することができるなど、その効果は甚大である。
【実施例２】
【００４０】
続いて、本発明の第２実施例であるロボットまたは音声対応電子回路モジュール制御システム１００について、図４に基づいて説明する。
ここで、図４は、本発明の第２実施例のロボットまたは音声対応電子回路モジュール制御システム１００の人事異動お知らせ機能のチャート図である。
第２実施例のロボットまたは音声対応電子回路モジュール制御システム１００は、第１実施例のロボットまたは音声対応電子回路モジュール制御システム１００の啓蒙活動機能を人事異動お知らせ機能にして用途を変更したものであり、多くの要素について第１実施例のロボットまたは音声対応電子回路モジュール制御システム１００と共通するので、共通する事項については詳しい説明を省略する。
【００４１】
第２実施例では、図４を用いて、人事異動お知らせ機能を果たすロボット１４０Ａについて詳細に説明する。
本実施例では、前提として、ロボット１４０Ａが、テキストデータ判読機能と、音声を発するスピーカとを有している。
そして、例えば、ロボット１４０Ａが、オフィスに設置されたとする。
また、自社と取引関係にある他社や興味のある他社を、サーバ１５０のＲＳＳ（Rich Site Summary または Really Simple Syndication）リーダー機能に予め設定登録しておくと、サーバ１５０が、予め登録された他社のインターネット上にアップロードされた人事情報の更新の有無を把握し、更新があった場合、その人事異動の内容をテキストデータとして取り込む。
【００４２】
図４に示すように、ステップＳ１１では、ブラウザ側プログラム１３０が、設定登録された他社の人事異動の更新内容をタッチパネル１１０のブラウザ１２０に表示させる。
また、ロボット１４０Ａが、通信手段を用いて、サーバ１５０にアクセスして予め設定登録された他社の人事情報テキストデータを読みに行く。ステップＳ１２へ進む。
【００４３】
ステップＳ１２では、ブラウザ側プログラム１３０またはロボット１４０Ａが、更新された人事情報テキストデータの有無を判定する。更新された人事情報テキストデータがあると判定した場合、ステップＳ１３へ進む。他方、更新された人事情報テキストデータがないと判定した場合、ステップＳ１１へ戻って繰り返す。
【００４４】
ステップＳ１３では、ロボット１４０Ａが、更新された人事情報テキストデータ、テキストデータ判読機能を用いて読み込み、ステップＳ１４へ進む。
ステップＳ１４では、ロボット１４０Ａが、読み込んだ新着の人事情報テキストデータを、スピーカを用いて音声として発することによって、会社内のオフィスにいる社員に対して、他社の人事異動の情報を伝える。
これにより、取引関係にある会社や注目する会社を登録するだけで、その会社の人事異動があったときにその人事異動の内容をその場で情報共有される。
その結果、会社組織として情報漏れなくその会社と接することができる。
ステップＳ１５へ進む。
【００４５】
ステップＳ１５では、ロボット１４０Ａが、読み込んだテキストデータを全て話して社員へ伝えたかを判定する。伝え終えたと判定した場合、ステップＳ７へ進む。他方、伝え終えていないと判定した場合。ステップＳ１４へ戻って、人事異動の情報を伝え続ける。
ステップＳ１６では、ブラウザ側プログラム１３０またはロボット１４０Ａが、サーバ１５０のデータに基づいて、次の人事情報テキストデータがあるか否かを判定する。次の人事情報テキストデータがあると判定した場合、ステップＳ１３へ戻って、次の会社の人事情報テキストデータを読み込み、人事異動の伝える内容を変えて同じアクションを繰り返す。他方、次の会社の人事情報テキストデータがないと判定した場合、ロボット１４０Ａは、他社の人事異動のお知らせ機能を終了する。
なお、ロボット１４０Ａを用いて説明したが、ロボット１４０Ａに換えて音声対応電子回路モジュール１６０を用いてもよい。
【００４６】
このようにして得られた本発明の第２実施例であるロボットまたは音声対応電子回路モジュール制御システム１００は、ロボット１４０Ａ〜１４０Ｃまたは音声対応電子回路モジュール１６０が、サーバ１５０における予め登録された所定の会社のテキストデータとしての人事情報テキストデータにアクセスして、新着の人事情報テキストデータを音声にして発することにより、会社組織として情報漏れなくその会社と接することができるなど、その効果は甚大である。
【実施例３】
【００４７】
続いて、本発明の第３実施例であるロボットまたは音声対応電子回路モジュール制御システム１００について、図５に基づいて説明する。
ここで、図５は、本発明の第３実施例のロボットまたは音声対応電子回路モジュール制御システム１００の社員食堂メニューお知らせ機能のチャート図である。
第３実施例のロボットまたは音声対応電子回路モジュール制御システム１００は、第１実施例のロボットまたは音声対応電子回路モジュール制御システム１００の啓蒙活動機能を社員食堂メニューお知らせ機能にして用途を変更したものであり、多くの要素について第１実施例のロボットまたは音声対応電子回路モジュール制御システム１００と共通するので、共通する事項については詳しい説明を省略する。
【００４８】
第３実施例では、図５を用いて、社員食堂メニューお知らせ機能を果たすロボット１４０Ａについて詳細に説明する。
本実施例では、前提として、ロボット１４０Ａが、テキストデータ判読機能と、音声を発するスピーカとを有している。
そして、例えば、ロボット１４０Ａとタッチパネル１１０とが、会社の社員食堂に設置されたとする。
【００４９】
ステップＳ２１では、ブラウザ側プログラム１３０が、社員食堂のメニュー内容をタッチパネル１１０のブラウザ１２０に表示させる。
また、ロボット１４０Ａが、通信手段を用いて、サーバ１５０にアクセスして予め入力された社員食堂の本日のメニュー情報テキストデータを読みに行く。ステップＳ２２へ進む。
【００５０】
ステップＳ２２では、ブラウザ側プログラム１３０またはロボット１４０Ａが、本日のメニュー情報テキストデータの有無を判定する。本日のメニュー情報テキストデータがあると判定した場合、ステップＳ２３へ進む。他方、本日のメニュー情報テキストデータがないと判定した場合、ステップＳ２１へ戻って繰り返す。
【００５１】
ステップＳ２３では、ロボット１４０Ａが、本日のメニュー情報テキストデータを、テキストデータ判読機能を用いて読み込み、ステップＳ２４へ進む。
ステップＳ２４では、ロボット１４０Ａが、読み込んだテキストデータを、スピーカを用いて音声として発することによって、社員食堂にいる利用者に対して、本日のメニュー内容を伝える。例えば、「本日の日替わりＡランチは、群馬県産豚肉を使ったメンチカツと、千葉県沖で捕れたアジのフライに、神奈川県産ジャガイモを使ったポテトサラダです。」、「本日の日替わりパスタランチは、千葉県産アサリを使ったボンゴレビアンコです。」などと伝える。
【００５２】
これにより、社員食堂の順番待ちの列に並んでいるときに、社員食堂の利用者が本日のメニューを耳で聴ける。
その結果、注文時までに何を注文するかを事前に決めることができ、スムーズな注文を実現することができる。
さらに、順番待ちの列が乱れることを回避できる。
ステップＳ２５へ進む。
【００５３】
ステップＳ２５では、ロボット１４０Ａが、読み込んだテキストデータを全て話して利用者へ伝えたか否かを判定する。伝え終えたと判定した場合、ステップＳ２６へ進む。他方、伝え終えていないと判定した場合、ステップＳ２４へ戻って、本日のメニュー内容を伝え続ける。
ステップＳ２６では、ブラウザ側プログラム１３０またはロボット１４０Ａが、サーバ１５０のデータに基づいて、他の本日のメニュー情報テキストデータがあるか否かを判定する。他の本日のメニュー情報テキストデータがあると判定した場合、ステップＳ２３へ戻って、他の本日のメニュー情報テキストデータを読み込み、伝える内容を他のメニューの内容に変えて同じアクションを繰り返す。他方、他の本日のメニュー情報テキストデータがないと判定した場合、ステップＳ２７へ進む。
【００５４】
ステップＳ２７では、ロボット１４０Ａが、再度、通信手段を用いて、サーバ１５０にアクセスして社員食堂のキッチンから送られる各メニューの残数情報を読みに行く。ステップＳ２８へ進む。
ステップＳ２８では、ブラウザ側プログラム１３０またはロボット１４０Ａが、各メニューの残数情報の有無を判定する。残数情報があると判定した場合、ステップＳ２９へ進む。他方、残数情報がないと判定した場合、ステップＳ２７へ戻って繰り返す。
ステップＳ２９では、ロボット１４０Ａが、各メニューの残数情報のテキストデータを、テキストデータ判読機能を用いて読み込み、ステップＳ３０へ進む。
【００５５】
ステップＳ３０では、ロボット１４０Ａが、読み込んだテキストデータを、スピーカを用いて音声として発することによって、順番待ちの列に並んだ利用者に対して、各メニューの現在の残数をリアルタイムで伝える。例えば、「本日の日替わりＡランチは、残り５食です。」、「本日の日替わりパスタランチは、残り３食です。」などと伝える。
これにより、順番待ちの列に並んだ利用者は、注文しようとしたメニューを、列に並んでいる最中に考え直して、代案を準備する。
その結果、一部のメニューが売り切れになった場合であっても、注文の順番がまわってきたときに、スムーズな注文を実現することができる。
ステップＳ３１へ進む。
【００５６】
ステップＳ３１では、ロボット１４０Ａが、読み込んだテキストデータを全て話して利用者へ伝えたか否かを判定する。伝え終えたと判定した場合、社員食堂メニューお知らせ機能を一度終了する。そして、必要に応じて再度開始する。他方、伝え終えていないと判定した場合、ステップＳ３０へ戻って、各メニューの残数情報を伝え続ける。
【００５７】
なお、ロボット１４０Ａが、サーバ１５０へアクセスして本日のメニュー情報テキストデータを読み込んだが、ブラウザ側プログラム１３０に予め記載されたメニュー内容を、スピーカを用いて音声化してもよい。
また、ロボット１４０Ａを用いて説明したが、ロボット１４０Ａに換えて音声対応電子回路モジュール１６０を用いてもよい。
【００５８】
このようにして得られた本発明の第３実施例であるロボットまたは音声対応電子回路モジュール制御システム１００は、ロボット１４０Ａ〜１４０Ｃまたは音声対応電子回路モジュール１６０が、サーバ１５０に予め入力されたテキストデータとしての社員食堂のメニュー情報テキストデータにアクセスして、本日のメニュー情報テキストデータを音声にして発することにより、注文時までに何を注文するかを事前に決めることができ、スムーズな注文を実現することができるとともに、順番待ちの列が乱れることを回避できるなど、その効果は甚大である。
【実施例４】
【００５９】
続いて、本発明の第４実施例であるロボットまたは音声対応電子回路モジュール制御システム１００について、図６に基づいて説明する。
ここで、図６は、本発明の第４実施例のロボットまたは音声対応電子回路モジュール制御システム１００の自社案内お知らせ機能のチャート図である。
第４実施例のロボットまたは音声対応電子回路モジュール制御システム１００は、第１実施例のロボットまたは音声対応電子回路モジュール制御システム１００の啓蒙活動機能を自社案内お知らせ機能にして用途を変更したものであり、多くの要素について第１実施例のロボットまたは音声対応電子回路モジュール制御システム１００と共通するので、共通する事項については詳しい説明を省略する。
【００６０】
第４実施例では、図６を用いて、自社案内お知らせ機能を果たすロボット１４０Ａについて詳細に説明する。
本実施例では、前提として、ロボット１４０Ａが、テキストデータ判読機能と、音声を発するスピーカとを有している。
そして、例えば、ロボット１４０Ａとタッチパネル１１０とが、会社のオフィスに設置されたとする。
【００６１】
ステップＳ４１では、ブラウザ側プログラム１３０が、自社の創業者や創業話などの自社案内内容をタッチパネル１１０のブラウザ１２０に表示させる。
また、ロボット１４０Ａが、通信手段を用いて、サーバ１５０にアクセスして予め入力された自社案内の会社創業話情報テキストデータを読みに行く。ステップＳ４２へ進む。
ステップＳ４２では、ブラウザ側プログラム１３０またはロボット１４０Ａが、会社創業話情報テキストデータの有無を判定する。会社創業話情報テキストデータがあると判定した場合、ステップＳ４３へ進む。他方、会社創業話情報テキストデータがないと判定した場合、ステップＳ４１へ戻って繰り返す。
【００６２】
ステップＳ４３では、ロボット１４０Ａが、会社創業話情報テキストデータを、テキストデータ判読機能を用いて読み込み、ステップＳ４４へ進む。
ステップＳ４４では、ロボット１４０Ａが、読み込んだテキストデータを、スピーカを用いて音声として発することによって、オフィスにいる社員に対して、会社創業話を伝える。例えば、「創業者の○○が、今のメイン事業とは別の△△事業で平成５年に創業しました。当時は、……、その後、株式会社ＡＢＣを吸収合併して現在のメイン事業を構築しました。」などと会社の物語を伝える。
これにより、社内に浸透させたい内容を会社創業話情報テキストデータにするだけで、ロボット１４０Ａがその内容を間違いなく読み上げて、その内容を社員が耳で聴いて覚える。
ステップＳ４５へ進む。
【００６３】
ステップＳ４５では、ロボット１４０Ａが、読み込んだテキストデータを全て話して社員に伝えたか否かを判定する。伝え終えたと判定した場合、ステップＳ４６へ進む。他方、伝え終えていないと判定した場合、ステップＳ４４へ戻って、会社創業話を伝え続ける。
ステップＳ４６では、自社案内お知らせモードが終了か否かを判定する。モード終了と判定した場合、自社案内お知らせ機能を一度終了する。他方、モード終了ではないと判定した場合、お知らせを繰り返すためにステップＳ４７へ進む。
【００６４】
ステップＳ４７では、前回の会社創業話を音声化したときから所定時間経過したか否かを判定する。例えば、前回の音声化したときから２時間経過したか否かを判定する。経過したと判定した場合、ステップＳ４４へ戻って同じアクションを繰り返えす。他方、まだ経過していないと判定した場合、ステップＳ４７を繰り返す。
これにより、社内に浸透させたい内容を会社創業話情報テキストデータにするだけで、ロボット１４０Ａが所定時間毎に毎回同じ内容を間違いなく繰り返して読み上げて、それを社員が耳で繰り返し聴いて覚える。
その結果、社長や部長の労力を軽減することができる。
さらに、社長や部長が感情的にならなくて済む。
その結果、社内の雰囲気を快適に保つことができる。
また、営業職などの社員が客先にきちんと自社のことを話すことができる。
【００６５】
なお、ロボット１４０Ａが、サーバ１５０へアクセスして会社創業話情報テキストデータを読み込んだが、ブラウザ側プログラム１３０に予め記載された会社創業話を、スピーカを用いて音声化してもよい。
また、ロボット１４０Ａを用いて説明したが、ロボット１４０Ａに換えて音声対応電子回路モジュール１６０を用いてもよい。
【００６６】
このようにして得られた本発明の第４実施例であるロボットまたは音声対応電子回路モジュール制御システム１００は、ロボット１４０Ａ〜１４０Ｃまたは音声対応電子回路モジュール１６０が、サーバ１５０に予め入力されたテキストデータとしての会社創業話情報テキストデータにアクセスして、所定時間になったときに会社創業話情報テキストデータを音声にして発することにより、社長や部長の労力を軽減することができ、社内の雰囲気を快適に保つことができ、営業職などの社員が客先にきちんと自社のことを話すことができるなど、その効果は甚大である。
【実施例５】
【００６７】
続いて、本発明の第５実施例であるロボットまたは音声対応電子回路モジュール制御システム１００について、図７に基づいて説明する。
ここで、図７は、本発明の第５実施例のロボットまたは音声対応電子回路モジュール制御システム１００の社員自己紹介機能のチャート図である。
第５実施例のロボットまたは音声対応電子回路モジュール制御システム１００は、第１実施例のロボットまたは音声対応電子回路モジュール制御システム１００の啓蒙活動機能を社員自己紹介機能にして用途を変更したものであり、多くの要素について第１実施例のロボットまたは音声対応電子回路モジュール制御システム１００と共通するので、共通する事項については詳しい説明を省略する。
【００６８】
第５実施例では、図７を用いて、社員自己紹介機能を果たすロボット１４０Ａについて詳細に説明する。
本実施例では、前提として、ロボット１４０Ａが、テキストデータ判読機能と、音声を発するスピーカとを有している。
また、自己紹介の対象社員が、予め自己紹介のテキストデータを作成し、サーバ１５０の所定の場所に保存している。
【００６９】
そして、例えば、ロボット１４０Ａとタッチパネル１１０とが、会社のオフィスに設置されたとする。
ステップＳ５１では、ブラウザ側プログラム１３０が、例えば、新入社員の自己紹介内容をタッチパネル１１０のブラウザ１２０に表示させる。
また、ロボット１４０Ａが、通信手段を用いて、サーバ１５０にアクセスして予め入力された新入社員の自己紹介テキストデータを読みに行く。ステップＳ５２へ進む。
ステップＳ５２では、ブラウザ側プログラム１３０またはロボット１４０Ａが、新入社員の自己紹介テキストデータの有無を判定する。自己紹介テキストデータがあると判定した場合、ステップＳ５３へ進む。他方、自己紹介テキストデータがないと判定した場合、ステップＳ５１へ戻って繰り返す。
【００７０】
ステップＳ５３では、ロボット１４０Ａが、自己紹介テキストデータを、テキストデータ判読機能を用いて読み込み、ステップＳ５４へ進む。
ステップＳ５４では、ブラウザ側プログラム１３０またはロボット１４０Ａが、所定時刻になったか否かを判定する。例えば、社員の小休憩に適した１５：００を所定時刻として予め設定していた場合は、現在の時刻が１５：００になったか否かを判定する。１５：００になったと判定した場合、ステップＳ５５へ進む。他方、未だ１５：００になっていないと判定した場合、ステップＳ５４を繰り返す。
【００７１】
ステップＳ５５では、ブラウザ側プログラム１３０の動作指令によって、先ず、ロボット１４０Ａが、例えば、自己紹介テキストデータのファイル名や自己紹介テキストデータ中の名前を読み取って、「はい、みなさん、ブレイクタイムです。電話中以外の方、注目して下さい。今日、紹介するのは、新入社員の○○さんです！」と話す。
続いて、ロボット１４０Ａが、読み込んだテキストデータを、スピーカを用いて音声として発することによって、オフィスにいる他の社員に対して、新入社員の自己紹介の内容を伝える。例えば、「新入社員の○○です。特技はフットサルです。興味のある方はぜひ一緒にやりましょう！」などと伝える。
【００７２】
これにより、新入社員が社内に伝えたい自身の内容を自己紹介テキストデータにするだけで、ロボット１４０Ａが所定時間に読み上げる。
その結果、自動で自己紹介形式の社員紹介をすることができる。
さらに、大勢の社員の前であっても読み手であるロボット１４０Ａが緊張しない。
その結果、スムーズに自己紹介形式の社員紹介を進めることができる。
また、言いにくい内容であってもロボット１４０Ａがその場の空気に飲み込まれない。
その結果、きちんと伝えることができる。
ステップＳ５６へ進む。
【００７３】
ステップＳ５６では、ロボット１４０Ａが、読み込んだテキストデータを全て話して他の社員へ伝えたか否かを判定する。伝え終えたと判定した場合、ステップＳ５７へ進む。他方、伝え終えていないと判定した場合、ステップＳ５５へ戻って、自己紹介形式の社員紹介の内容を伝え続ける。
ステップＳ５７では、ブラウザ側プログラム１３０またはロボット１４０Ａが、サーバ１５０のデータに基づいて、他の自己紹介テキストデータがあるか否かを判定する。他の自己紹介テキストデータがあると判定した場合、ステップＳ５３へ戻って、他の自己紹介テキストデータを読み込み、伝える内容を他の社員の自己紹介の内容に変えて同じアクションを繰り返す。他方、他の自己紹介テキストデータがないと判定した場合、ロボット１４０Ａは、社員自己紹介機能を終了する。
【００７４】
なお、ロボット１４０Ａが、サーバ１５０へアクセスして社員の自己紹介テキストデータを読み込んだが、ブラウザ側プログラム１３０に直接記載された自己紹介内容を、スピーカを用いて音声化してもよい。
また、ロボット１４０Ａを用いて説明したが、ロボット１４０Ａに換えて音声対応電子回路モジュール１６０を用いてもよい。
また、一度に複数人分の自己紹介形式の社員紹介をしてもよいのは言うまでもない。
【００７５】
このようにして得られた本発明の第５実施例であるロボットまたは音声対応電子回路モジュール制御システム１００は、ロボット１４０Ａ〜１４０Ｃまたは音声対応電子回路モジュール１６０が、サーバ１５０に予め入力された社員のテキストデータとしての自己紹介テキストデータにアクセスして、所定時間になったときに自己紹介テキストデータを音声にして発することにより、自動で自己紹介形式の社員紹介をすることができ、スムーズに自己紹介形式の社員紹介を進めることができ、きちんと伝えることができるなど、その効果は甚大である。
【その他の実施例】
【００７６】
［その他の例１］
＜朝礼、終業トーク機能＞
朝礼のとき、ロボット１４０Ａが、サーバ１５０にアクセスして、予め入力された朝礼用テキストデータを、テキストデータ判読機能を用いて読み込む。
そして、ロボット１４０Ａが、朝礼開始時刻になったと判定すると、朝礼用テキストデータを、スピーカを用いて音声として発する。例えば、「みなさん、お早うございます。今日は月末です。売上目標を達成できるように今日も頑張りましょう！」などと伝える。
朝礼のときと同様、終業のとき、ロボット１４０Ａが、予め入力された終業用テキストデータを、テキストデータ判読機能を用いて読み込む。
そして、終業時刻になったと判定すると、終業用テキストデータを、スピーカを用いて音声として発する。例えば、「終業時刻になりました。明日の準備をして、速やかに帰宅準備をしましょう。お疲れ様でした！」などと伝える。
【００７７】
［その他の例２］
＜朝会議事進行機能＞
会社の朝会のとき、ロボット１４０Ａが、サーバ１５０にアクセスして、予め入力された朝会用議事テキストデータを、テキスト判読機能を用いて読み込む。
そして、朝会の開始時刻になったと判定すると、または、ユーザがタッチパネル１１０を操作すると、ロボット１４０Ａが、朝会用議事テキストデータを、スピーカを用いて音声として発する。例えば、「今日の議題は３つあります。先ず一つ目は、営業強化についてです。○○課長から説明があります。○○課長、お願いします！」と話して進行役をつとめる。
また、ロボット１４０Ａが、マイクを用いて、朝会の内容を録音して議事内容を音声データとしてサーバ１５０に保存する。
さらに、ロボット１４０Ａが、進行役をつとめるために、タイマー機能を用いて、発言者に経過時間を音声で知らせるように構成してもよい。これに伴い、タッチパネル１１０に発言者の残りの持ち時間を表示してもよい。
【００７８】
［その他の例３］
＜ニュース読み上げ機能＞
ロボット１４０Ａが、サーバ１５０にアクセスして、サーバ１５０のＲＳＳリーダー機能を利用して予め設定登録された天気の情報、株価・為替情報、電車遅延情報、高速道路情報、インターネット上のニュース、政治ニュース、健康についてのニュース、新着メールマガジンニュースなどのニューステキストデータを、テキストデータ判読機能を用いて読み込む。
そして、テキストデータの更新時毎に、ロボット１４０Ａが、ニューステキストデータを、スピーカを用いて音声として発する。
【００７９】
［その他の例４］
＜ｅラーニング機能＞
ロボット１４０Ａが、サーバ１５０にアクセスして、予め入力された教育用テキストデータを、テキストデータ判読機能を用いて読み込む。
そして、所定の開始時刻になったと判定すると、または、ユーザがタッチパネル１１０を操作すると、ロボット１４０Ａが、教育用テキストデータを、スピーカを用いて音声として発する。このとき、タッチパネル１１０は、ｅラーニングの動画を表示する。
【００８０】
［その他の例５］
＜ラジオ体操機能＞
ロボット１４０Ａが、サーバ１５０にアクセスして、予め入力されたラジオ体操用テキストデータを、テキスト判読機能を用いて読み込む。
そして、所定の開始時刻になったと判定すると、または、ユーザがタッチパネル１１０を操作すると、ロボット１４０Ａが、ラジオ体操用テキストデータを、スピーカを用いて音声として発する。例えば、「みなさん、仕事をちょっととめて、体操しましょう！  それでは、立って大きく息を吸って……」と話す。
このとき、ブラウザ側プログラム１３０の動作指令により、ロボット１４０Ａが、関節を動かして体操の見本を示してもよい。
また、ロボット１４０Ａが、カメラ機能を用いて、オフィスの社員の動き、特に動作タイミングを認識して、消極的な社員の有無を判定し、消極的な社員がいると判定した場合、「しっかりついて来て下さいね！」と話して励ますように構成してもよい。
【００８１】
［その他の例６］
＜占いトーク機能＞
ロボット１４０Ａが、サーバ１５０にアクセスして、サーバ１５０のＲＳＳリーダー機能を利用して予め設定登録された例えば、星座占いなどの今日の占いテキストデータを、テキストデータ判読機能を用いて読み込む。
そして、所定の開始時刻として例えば、午前１１：００になったと判定すると、ロボット１４０Ａが、今日の占いテキストデータを、スピーカを用いて音声として発する。例えば、「お仕事中のみなさん、今日の星座占いです。射手座の人は、……」と話す。
【００８２】
［その他の例７］
＜社内ニュース読み上げ機能＞
ロボット１４０Ａが、サーバ１５０にアクセスして、予め入力された社内ニュース、社内報、社長の一言、部長の一言、福利厚生情報、社内サークル情報、本日が誕生記念日の社員情報などの社内ニューステキストデータを、テキストデータ判読機能を用いて読み込む。
そして、所定の時刻になったと判定すると、または、社内ニューステキストデータの更新時毎に、ロボット１４０Ａが、社内ニューステキストを、スピーカを用いて音声として発する。
これにより、ペーパーレス化して社内報などを容易に管理することができる。
また、ロボット１４０Ａが、リアルタイムで例えば、「営業の○○さん、５００万円の契約獲得！  今月の目標を達成しました。おめでとうございます！」と社内に知らせるように構成してもよい。
これにより、リアルタイムで、売上速報、社内表彰をすることができる。
【００８３】
［その他の例８］
＜社内クイズ読み上げ機能＞
ロボット１４０Ａが、サーバ１５０にアクセスして、予め入力されたクイズのテキストデータを、テキストデータ判読機能を用いて読み込む。
そして、所定の時刻として例えば、１５：００になったと判定すると、クイズのテキストデータを、スピーカを用いて音声として発する。例えば、「お仕事中のみなさん、ちょっと休憩で、クイズしませんか？  エベレストの標高は何メートルでしょうか？」と出題する。
社員の誰かが「○○メートル！」と答えるのを、ロボット１４０Ａが、マイクを用いて聴き取り、クイズのテキストデータに記載された答えと一致しているか否かを判定する。一致していると判定した場合、「正解です！  すごーい」と返事する。他方、一致していないと判定した場合、「う〜ん、おしい」と返事する。
【００８４】
［その他の例９］
＜試験官機能＞
ロボット１４０Ａが、サーバ１５０にアクセスして、予め入力された試験官用テキストデータを、テキストデータ判読機能を用いて読み込む。
そして、所定の試験開始時刻になったと判定すると、試験官用テキストデータを、スピーカを用いて音声として発する。例えば、「今から試験の注意事項についてお知らせします。机のうえには、鉛筆、消しゴムだけにして、その他の物は、しまって下さい。……」と受験者に伝える。
試験中、ロボット１４０Ａが、カメラを用いて受験者の様子を監視するとともに、録画したデータをサーバ１５０に保存する。
【００８５】
［その他の例１０］
＜日本語単語レッスン機能＞
ロボット１４０Ａが、サーバ１５０にアクセスして、予め入力された日本語レッスン用テキストデータを、テキストデータ判読機能を用いて読み込む。
そして、所定の開始時刻になったと判定すると、または、ユーザがタッチパネル１１０を操作すると、ロボット１４０Ａが、日本語レッスン用テキストデータを、スピーカを用いて音声として発する。このとき、タッチパネル１１０は、日本語レッスンの単語・文章などの文字を表示する。
ロボット１４０Ａが、マイクを用いてレッスン生徒の発声を聴き、聴き取れて、単語が一致していると判定した場合、次の単語に進む。他方、一致していないと判定した場合、同じ単語を繰り返す。
日本語を母国語とせず、日本語を不得意とする社員が、繰り返し練習して日本語を習得できる。
なお、日本語に変えて、英語などの外国語にしてもよいのは勿論である。
また、ロボット１４０Ａを用いて説明したが、ロボット１４０Ａに換えて音声対応電子回路モジュール１６０を用いてもよい。
【符号の説明】
【００８６】
１００  ・・・  ロボットまたは音声対応電子回路モジュール制御システム
１１０  ・・・  タッチパネル（表示パネル）
１２０  ・・・  ブラウザ
１３０  ・・・  ブラウザ側プログラム
１４０Ａ・・・  ロボット
１４０Ｂ・・・  （別のタイプの）ロボット
１４０Ｃ・・・  （別のタイプの）ロボット
１５０  ・・・  サーバ
１６０  ・・・  音声対応電子回路モジュール
【図１】
2018102606.tif 000003
【図２】
2018102606.tif 000004
【図３】
2018102606.tif 000005
【図４】
2018102606.tif 000006
【図５】
2018102606.tif 000007
【図６】
2018102606.tif 000008
【図７】
2018102606.tif 000009